(57)【要約】【課題】絞り羽根を所定の位置にロックする部材の脱落を防止することができる手動絞り装置を提供する。【解決手段】光軸上に開口部を有する絞りフォルダー２と、この絞りフォルダーに収容されて開口部２０の面積を可変とする２枚の羽根３１、３２からなる絞り羽根３と、絞り羽根３に連結される回動レバー５と、回動レバー５にねじ込まれて絞り羽根３の移動をロックするロック用つまみ部材６を有する手動用操作部材４とを備え、回動レバー５はロック用つまみ６の一端部がねじ込まれるめねじ部５３と、そのめねじ部を取り囲む一対の爪部５２ａ、５２ｂを有し、ロック用つまみ６は、操作部６１とめねじ部５３にねじ込まれるおねじ部６２からなり、おねじ部６２の手前にはねじ込み動作に伴って爪部５２ａ、５２ｂに当接して弾性変形させる拡径部６３が形成されている。【選択図】  図１
2012226242.tif 000002
【特許請求の範囲】
【請求項１】
光軸上に開口部を有するフォルダー部材と、前記フォルダー部材に収容されて前記開口部の面積を可変とする２枚の絞り羽根と、前記絞り羽根に連結される回動レバーと、前記回動レバーにねじ込まれて絞り羽根の移動をロックするロック用つまみ部材とを備え、
前記回動レバーは前記ロック用つまみ部材の一端部がねじ込まれるめねじ部と、そのめねじ部を取り囲むように形成された複数の爪部材を有し、
前記ロック用つまみ部材は、操作部と前記めねじ部にねじ込まれるおねじ部からなり、前記おねじ部の操作部側端部にはねじ込み動作に伴って前記爪部に当接して弾性変形させる拡径部が形成されていることを特徴とする手動アイリス装置。
【請求項２】
前記拡径部は前記つまみ部材のねじ込み方向に向って下り勾配となるテーパ面を有し、前記爪部は前記テーパ面に当接するテーパ面を有することを特徴とする請求項１に記載の手動アイリス装置。
【請求項３】
前記回動レバーは、前記フォルダー部材に連結され、先端に複数の分割部とテーパ付案内部を有することを特徴とする請求項１又は２に記載の手動アイリス装置。
【発明の詳細な説明】
【技術分野】
【０００１】
本発明は、監視カメラなどの光学機器に使用される撮像用レンズの光量をマニュアル操作で調整するための手動アイリス装置に関する。
【背景技術】
【０００２】
撮像用レンズを有する光学機器、例えば監視カメラにおいては、光量絞り装置として、レンズ鏡筒の光軸上に開口部を有する保持枠に２枚の絞り羽根が長手方向に重合されかつ保持枠の長手方向に沿って摺動自在に設けられたアイリス装置が使用されている。通常のアイリス装置では、２枚の絞り羽根を互に逆方向に摺動させることにより、保持枠の開口部の面積を増減させている。
【０００３】
監視カメラでは、監視対象となる場所の明るさが一定ではない場合（例えば屋外に設置された場合）には、オートアイリス装置が使用される。一方監視対象となる場所の明るさが一定の場合（例えば屋内に設置された場合）には、手動アイリス装置を使用して、人手によるマニュアル操作で光量を調整することが行われている。
【０００４】
この種手動アイリス装置は、例えば特許文献１〜３に記載の如く、種々の構造が提案されている。特許文献１には、弧面を有する絞り枠と、この絞り枠の弧面に沿って揺動自在となる状態で鏡胴の支持筒に軸支され、外部に露出した部分を直接操作するように構成された絞りレバーと、この絞りレバーに係合させた状態でそれぞれが重ね合わせられて上記絞り枠に配置され、それぞれに絞り開口量を設定するための開口部を有し、上記絞りレバーの揺動操作によって絞り開閉動作を行う２枚の絞り羽根と、上記絞りレバーに外部に露出した部分として配置され、先端が上記絞り枠の弧面に当接することにより上記絞りレバーを絞り調整位置で固定するためのネジ固定式のロックツマミと、を含む手動式絞り機構が記載されている。
【０００５】
特許文献２には、絞り開口量を制御する絞り羽根と、この絞り羽根を駆動するために揺動し、鏡胴内支持部の軸孔に嵌合する回転軸を備えた絞りレバーとを有するレンズ鏡胴において、上記回転軸にはその軸方向に割りを入れて径方向の弾性力を持たせ、この回転軸が上記鏡胴内支持部の軸孔に嵌合したとき、上記径方向の弾性力が発生して絞りレバーに所定の操作トルクを与えるように構成することが記載されている。
【０００６】
特許文献３には、保持枠、絞り羽根、回動軸と回動片、操作レバーによりユニット化されており、レンズ鏡筒に対し後付け方式にて組み付けることが可能となるようにした手動絞り装置が記載されている。この絞り装置を用いる場合には、撮像レンズ（例えば、ＣＣＴＶカメラ用撮影レンズ）のレンズ鏡筒に保持枠の挿入部分に対応した切欠部が設けられる。そして、手動絞り装置は、ユニット化された状態で、保持枠の挿入部分を切欠部からレンズ鏡筒内に差し込んだ後、取付部をネジ等を介してレンズ鏡筒側に固定すると、延長部分がレンズ鏡筒の外径方向に突出配置される。延長部分の片側には、回動軸及び操作レバーが配置されており、その操作レバーを回動操作することにより絞り調整される。
【先行技術文献】
【特許文献】
【０００７】
【特許文献１】特許第３７３４３０７号公報
【特許文献２】特許第３７５１４１５号公報
【特許文献３】特許第４２１８７４５号公報
【発明の概要】
【発明が解決しようとする課題】
【０００８】
上述した従来の手動絞り装置には次のような問題がある。特許文献１に記載された手動式絞り機構によれば、２枚の絞り羽根により開口量を調整するので、６枚羽根のものと比べて部品点数を削減できる。しかしながらこの絞り機構では、鏡筒の支持筒に円弧状の絞り枠を軸支する構造を採用しているので、絞りレバーの前側に絞り枠を配置しており、コンパクトな構造にできないという問題がある。またネジ固定式のロックツマミをネジの緩み方向に回して、ロックツマミのオネジ部が絞り枠のメネジ部から離脱すると、ロックツマミを紛失する恐れがあるといった問題も伴う。
【０００９】
特許文献２に記載された絞り機構は、絞りレバーの回転軸を軸孔に取り付ける時に、軸孔に弾性力を発生させて操作トルクを調整できるようにしているが、特許文献１と同様に絞り羽根を駆動するために円弧状の絞り枠を設けるので、コンパクトな構造にできないという問題がある。また特許文献１と同様にネジ固定式のロックツマミをネジの緩み方向に回して、ロックツマミのオネジ部が絞り枠のメネジ部から離脱すると、ロックツマミを紛失する恐れがあるといった問題も伴う。
【００１０】
特許文献３に記載された手動絞り装置は、レンズ鏡筒側と分離した状態でユニット化できるが、レンズ鏡筒の外側に配置された操作部により絞り羽根を作動させるので、複雑な構造になるといった問題がある。
【００１１】
したがって本発明の目的は、コンパクトな構造でしかもネジ固定式のロックつまみの紛失を防止することができる手動アイリス装置を提供することである。
【課題を解決するための手段】
【００１２】
上記目的を達成するために、本発明の手動アイリス装置は、光軸上に開口部を有するフォルダー部材と、前記フォルダー部材に収容されて前記開口部の面積を可変とする２枚の絞り羽根と、前記絞り羽根に連結される回動レバーと、前記回動レバーにねじ込まれて絞り羽根の移動を阻止するロック用つまみ部材とを備え、前記回動レバーは前記ロック用つまみ部材の一端部がねじ込まれるめねじ部と、外周面にそのめねじ部を取り囲むように形成された複数の爪部を有し、前記ロック用つまみ部材は、操作部と前記めねじ部にねじ込まれるおねじ部からなり、前記おねじ部の操作部側にはねじ込み動作に伴って前記爪部に当接して弾性変形させる拡径部が形成されていることを特徴とするものである。
【００１３】
本発明において、前記拡径部は前記つまみ部材のねじ込み方向に向って下り勾配となるテーパ面を有し、前記爪部は前記テーパ面に当接するテーパ面を有する形状とすることができる。
【００１４】
本発明において、前記回動レバーは、前記フォルダー部材に連結され、先端に複数の分割部とテーパ付案内部を有するレバー軸に装着することができる。
【発明の効果】
【００１５】
本発明によれば、ロック用つまみ部材を回動レバーにねじ込むだけの操作で、回動レバーを所定の位置で絞り枠に固定することができるので、所望の開口面積を確保することができる。しかもロック用つまみを逆転させても、拡径部が回動レバーの爪部に係止されるので、つまみが回動レバーから抜け出すのを防止することができる。
【００１６】
また、レバー軸の先端を特定の形状とすることにより、回動レバーをレバー軸に押し込むだけの操作で回動レバーを絞り羽根と連動させることが可能となり、もってアイリス装置の組立工数を少なくすることができる。
【図面の簡単な説明】
【００１７】
【図１】本発明の手動アイリス装置の一例を示す斜視図である。
【図２】図１の手動アイリス装置において、絞り羽根を閉じた場合の平面図である。
【図３】図１の手動アイリス装置において、絞り羽根を開放した場合の平面図である。
【図４】図１に示す手動アイリス装置の手動操作用部材を図１のＡ方向から見た拡大図である。
【図５】図２をＢ−Ｂ線で切断したときの断面図である。
【図６】図２をＣ−Ｃ線で切断したときの断面図である。
【図７】図１をＤ方向から見た矢視図である。
【図８】図１をＥ方向から見た矢視図である。
【図９】図１をＦ方向から見た矢視図である。
【図１０】絞り羽根の斜視図であり、（ａ）は上羽根を示す図、（ｂ）は下羽根を示す図である。
【図１１】下羽根に上羽根を重ねた状態を示す斜視図である。
【図１２】図１に示す手動アイリス装置の要部を示す平面図であり、（ａ）はロック用つまみが回動レバーの奥までねじ込まれた状態を示す図、（ｂ）はロック用つまみが回動レバーの途中までねじ込まれた状態を示す図である。
【発明を実施するための形態】
【００１８】
本発明の詳細を添付図面により説明する。
【００１９】
図１に示す手動アイリス装置１は、光軸（Ｚ軸）上に開口部２０を有する絞りフォルダー２と、開口部２０の面積を可変調整するために２枚の羽根を有する絞り羽根３と、絞り羽根３を開閉して所定位置に保持するための手動操作用部材４とを備えている。手動操作用部材４は、絞り羽根３の開閉操作を行う円筒状の回動レバー５と、回動レバー５にねじ込まれ、絞り羽根３を所定位置に固定しておくためのロック用つまみ６を有する。回動レバー５は、絞りフォルダー２に固設される円筒状のレバー軸７に外装されかつレバー軸７に対して回動可能に支持されている。
【００２０】
この手動アイリス装置１の各部の構成を説明する。絞りフォルダー２は、開口部２０が形成された羽根収容部２１を有する直方体状の枠状部材であり、羽根収容部２１の幅方向（Ｙ方向）の両端面に装置全体をレンズ鏡筒（不図示）などに装着するためのフック部２６ａ、２６ｂが設けられている。羽根収容部２１には、開口部２０の面積を調整するために、互いに逆方向に摺動可能な状態で上羽根３１と下羽根３２からなる絞り羽根３（図１０、図１１参照）が収容されている。この羽根収容部２１の内部には、絞り羽根３を保持する（脱落を防止する）ために、羽根の移動方向（Ｘ１、Ｘ２方向）に沿って２個づつ形成された、４個（２列）の係止爪２１１ａ、２１１ｂ、２１１ｃ、２１１ｄが設けられている（図９参照）。
【００２１】
図１０及び図１１に示すように、絞り羽根３は、上羽根３１と下羽根３２からなり、上羽根３１と下羽根３２は互いに逆方向に摺動可能に絞りフォルダー２に組み付けられる。上羽根３１は、長手方向（Ｘ方向）の一端側（手動操作用部材側と反対側）が開放されて、他端に向って紡錘状に形成された開口３１０と、長手方向に沿って伸長する３個（２列）のＬ字型のスライド孔３１１ａ、３１１ｂ、３１１ｃを有する｛図１０（ａ）参照｝。上羽根３１の一方の側には、延出部３１２が形成され、その延出部３１２の端部には、回動レバー５の下端部５１１ａが係止されるＬ字型の係止孔３１３が形成されており（図９参照）、この下端部５１１ａは、回動レバー５の回動によって係止孔３１３から外れないようにするために端部が根元側よりも膨らんだ形状を有する。
【００２２】
下羽根３２は、長手方向（Ｘ方向）の一端側（手動操作用部材側）が開放されて、他端に向って紡錘状に形成された開口３２０と、長手方向に沿って伸長する３個（２列）のＬ字型のスライド孔３２１ａ、３２１ｂ、３２１ｃを有する｛図１０（ｂ）参照｝。下羽根３２の一方の側（Ｙ方向において一方の端部）には、延出部３２２が形成され、その延出部３２２の端部には、回動レバー５の下端部５１１ｂが係止されるＬ字型の係止孔３２３が形成されており、この下端部５１１ｂは、回動レバー５の回転によって係止孔３２３に下羽根３２が脱落しないようにするために端部が根元側よりも膨らんだ形状を有する。
【００２３】
羽根収容部２１のＹ方向の一端側に形成された係止爪２１１ａは、上羽根３１の係止孔３１１ａを挿通して下羽根３２の係止孔３２１ａに係止され、かつ係止爪２１１ｂは、上羽根３１の係止孔３１１ｂに係止される。同様に、羽根収容部２１のＹ方向の他端側に形成された係止爪２１１ｂは、上羽根３１の係止孔３１１ｃを挿通して下羽根３２の係止孔３２１ｂに係止され、かつ係止爪２１１ｄは、下羽根３２の係止孔３２１ｃに係止される。（図９参照）。したがって回動レバー５を回動させることにより、上羽根３１と下羽根３２は互いに逆方向（Ｘ１方向又はＸ２方向）に摺動して、開口面積を調整することができる（図１１参照）。
【００２４】
羽根収容部２１に隣接する操作用部材支持部２２は、手動操作用部材４が戴置されるステー部２３ａ、２３ｂと、手動操作用部材４の回転範囲を規制するストッパー部２４ａ、２４ｂ、２４ｃ、２４ｄを有する。この手動操作用部材４は、上記のように絞り羽根３に連結された回動レバー５と、回動レバー５にねじ込まれるロック用つまみ６を有する。
【００２５】
回動レバー５は、絞りフォルダー２に固設されたレバー軸７の外周面に装着される略円筒状の基体部５０と、その下部に形成されたアーム部５１ａ、５１ｂと、基体部５０を貫通するように形成された、ロック用つまみ６がねじ込まれるめねじ部５３を有する（図４〜図６参照）。めねじ部５３の端部（基体部５０の外周面）には、複数の爪部、例えば対称（非対称でもよい）に配置された一対の爪部５２ａ、５２ｂが形成されている（図４参照）。各爪部５２ａ、５２ｂの端部（つまみ側）には各々、テーパ部５２１ａ、５２１ｂが形成されている。これらのテーパ部５２１ａ、５２１ｂは、内径側に向って下り勾配となる斜面を有する。回動レバー５の外周面側の下部には、対称位置に絞り羽根３の摺動範囲を規制するためのアーム５１ａ、５１ｂが形成されている。また操作用部材支持部２２には、対称に配置された円弧状のガイド孔２５ａ、２５ｂが形成されている（図２、図９参照）。このガイド孔２５ａを通してアーム部５１の係止部５１１ａは、上羽根３１の係止孔３１３に連結され、同様にガイド孔２５ｂを通してアーム部５１の係止部５１１ｂは下羽根３２の係止孔３２３に係止される。したがってアーム５を回動することにより、係止部５５１ａはガイド孔２５ａに沿って回動され、係止部５５１ｂはガイド孔２５ｂに沿って回動されるので、上羽根３１と下羽根３２のＸ１方向又はＸ２方向への移動（図９参照）が可能となる。
【００２６】
ロック用つまみ６は、円柱状（他の形状、例えば多角柱状でもよい）の基体部６１と、基体部６１の一端に形成されたおねじ部６２を有する（図４及び図６参照）。おねじ部６２の長さは、回転レバー５のめねじ部５３の長さと同等（やや長くてもよい）に設定されている。おねじ部６２の手前（基体部側）には、外周面がおねじ部に向って下り勾配となるリング状の拡径部６３が形成されている。本例では、基体部６２はおねじ部よりも大径であるが、これに限定されない。
【００２７】
回動レバー５を軸支するためのレバー軸７は、Ｔ字型状の脚部７２ａ、７２の先端が絞りフォルダー２に嵌装される（圧入される）ことにより、絞りフォルダー２に固定される（図９参照）。レバー軸７は、上端部が複数（例えば４個）の切り込みにより分断され、かつ頭部には、内周側に向って下り勾配となるテーパ部を有する係止部７１ａ、７１ｂ、７１ｃ、７１ｄが形成されている。したがって回動レバー５をレバー軸７に外装する（押し込む）だけの操作で、レバー軸７の先端部は弾性変形する（縮径後元の状態に復元する）ので回動レバー５をレバー軸７に組み付けることができる。
【００２８】
手動アイリス装置１の絞り羽根３の開閉動作を説明する。回動レバー５をＲ１方向に回転させた場合（図２、図７及び図８参照）、上羽根３１はＸ１方向に移動し、下羽根３２はＸ２方向（上羽根３１と逆方向）に移動して、絞りフォルダー２の開口２０の面積が狭くなり、アーム部５１ａがストッパー２４ａに当接し、またアーム部５１ｂがストッパー２４ｄに当接することにより、絞り羽根３は全閉状態となる（図７〜図９参照）。一方回動レバー５をＲ２方向に回転させた場合（図３参照）、上羽根３１はＸ２方向に移動し、下羽根３２はＸ１方向（上羽根３１と逆方向）に移動して、絞りフォルダー２の開口２０の面積が広くなり、アーム部５１ａがストッパー２４ｂに当接し、またアーム部５１ｂがストッパー２４ｃに当接することにより、絞り羽根３は全開状態となる（図３参照）。
【００２９】
本発明においては、絞り羽根３を所望の開口面積となる位置に維持するために、回動レバー５にロック用つまみ６をねじ込む操作が行われる。このねじ込み操作の動作過程は次の通りである。例えば図３に示す全開状態で、ロック用つまみ６をねじ込むことにより、ロック用つまみ６はＳ１方向に移動する。次いでロック用つまみ６をさらにねじ込むことにより、拡径部６３がテーパ部５２１ａ及びテーパ部５２１ｂに当接し、爪部５２ａ及び爪部５２ｂは弾性変形して、拡径部６３は爪部５２１ａ及び爪部５２１ｂを通り抜ける（図４参照）。ロック用つまみ６が奥までねじ込まれると、その先端はレバー軸７の外周面に突き当たり、ロック用つまみ６とレバー軸７が圧接した状態が現出する｛図１２（ａ）参照｝。したがって回動レバー５は絞りフォルダー２に固定されるので、絞りフォルダー２の開口部２０の面積を所望の大きさに維持することができる。
【００３０】
次に、開口面積を変更する場合は、ロック用つまみ６を緩めて上記とは逆方向（Ｓ２方向）に移動させることにより（図４参照）、ロック用つまみ６とレバー軸７の圧接を解除する。次いで絞り羽根３を閉じることにより、開口面積を狭めることができる。所望の開口面積が得られる位置で、上記と同様にロック用つまみ６を奥までねじ込んで、回動レバー５を絞りフォルダー２に固定すればよい。
【００３１】
上記のロック用つまみ６をねじ込む又は緩める過程では、その拡径部６３が爪部５２ａ、５２ｂのテーパ部５２１ａ、５２１ｂに当接した時点では、おねじ部６２の先端はレバー軸７に到達していないが、少なくともおねじ部６２の一部は回動レバー５にねじ込まれている（支持されている）ので、ロック用つまみ６が回動レバー５から脱落することは無い。これに対し、拡径部６３が爪部５２ａ、５２ｂの先端（テーパ部５２１ａ、５２１ｂ）を通過しかつおねじ部６２の先端がレバー軸７に到達していない状態では、ロック用つまみ６のおねじ部６２の少なくとも一部が回動レバー５の基体部５０にねじ込まれていないと、ロック用つまみ６が脱落することになる。しかして本発明においては、回動レバー５の外周面には、めねじ部５３の周囲に爪部５２１ａ、５２１ｂが設けられているので、ロック用つまみ６がＳ２方向に移動しようとすると、ロック用つまみ６の拡径部６３が爪部５２１ａ、５２１ｂでせき止められしかもおねじ部６２の一部は基体部５０に保持されているので、ロック用つまみ６が回動レバー５から脱落するのを防止することができる｛図１２（ｂ）参照｝。
【００３２】
このように本発明によれば、回動レバー５及びロック用つまみ６が特定の形状に形成されているので、追加の部品（例えばロック用つまみを回動レバー５に結合する部材）を準備すること無く、ロック用つまみ６を回動レバー５にねじ込むだけの操作で、ロック用つまみ６の脱落（紛失）を確実に防止できるといった実用性の優れた手動アイリス装置を得ることができる。
【符号の説明】
【００３３】
１：手動アイリス装置、
２：絞りフォルダー、２０：開口部、２１：絞り羽根収容部、２１１ａ、２１１ｂ、２１１ｃ、２１１ｄ：係止爪、２２：操作用部材支持部、２３ａ、２３ｂ：ステー部、２４ａ、２４ｂ、２４ｃ、２４ｄ：ストッパー部、２５ａ、２５ｂ：ガイド孔、２６ａ、２６ｂ：フック部、
３：絞り羽根、３１：上羽根、３１０：開口部、３１１ａ、３１１ｂ、３１１ｃ、３１１ｄ：スライド孔、３１２：延出部、３１３：係止孔、３２：下羽根、３２０：開口部、３２１ａ、３２１ｂ、３２１ｃ、３２１ｄ：スライド孔、３２２：延出部、３２３：係止孔、
４：手動操作用部材、
５：回動レバー、５０：基体部、５１ａ、５１ｂ：アーム部、５１１ａ、５１１ｂ：係止部、５２ａ、５２ｂ：爪部、５２１ａ、５２１ｂ：テーパ部、５３：めねじ部、
６：ロック用つまみ、６１：操作部、６２：おねじ部、６３：拡径部、
７：レバー軸、７１ａ、７１ｂ、７１ｃ、７１ｄ：係止部、７２ａ、７２ｂ：脚部、
【図１】
2012226242.tif 000003
【図２】
2012226242.tif 000004
【図３】
2012226242.tif 000005
【図４】
2012226242.tif 000006
【図５】
2012226242.tif 000007
【図６】
2012226242.tif 000008
【図７】
2012226242.tif 000009
【図８】
2012226242.tif 000010
【図９】
2012226242.tif 000011
【図１０】
2012226242.tif 000012
【図１１】
2012226242.tif 000013
【図１２】
2012226242.tif 000014